(57)【要約】【課題】過電流が流れた時に、オーバーロードによる機器への影響を防止するオーバーロードブレーカースイッチを提供すること。【解決手段】第１ピン（２１）、第２ピン（２２）及び第３ピン（２３）はそれぞれ孔（１３）に設置されると共に、第１ピン（２１）、第２ピン（２２）及び第３ピン（２３）の一方の側壁は、収納部（１１）の内壁に当接されると共に、他方の側壁は、外部カバー（１０）の開口（１２）の端縁に取り付けられる接合プレート（３０）の内壁に当接されることにより、該第１ピン（２１）、第２ピン（２２）及び第３ピン（２３）を収容部（１１）内において強固に位置決めする。【選択図】図１
0003127559.tif 000002
【実用新案登録請求の範囲】
【請求項１】
外部カバー（１０）、第１ピン（２１）、第２ピン（２２）、第３ピン（２３）及び接合プレート（３０）を備え、該外部カバー（１０）は、一端に開口（１２）が形成される収納部（１１）を有し、該収納部（１１）に各部材及びオーバーロードブレーカーが収納され、該外部カバー（１０）の下端に第１ピン（２１）、第２ピン（２２）及び第３ピン（２３）を設置するための複数の孔（１３）が形成されたオーバーロードブレーカースイッチであって、
前記第１ピン（２１）、第２ピン（２２）及び第３ピン（２３）はそれぞれ孔（１３）に設置されると共に、
第１ピン（２１）、第２ピン（２２）及び第３ピン（２３）の一方の側壁は、収納部（１１）の内壁に当接されると共に、
他方の側壁は、外部カバー（１０）の開口（１２）の端縁に取り付けられる接合プレート（３０）の内壁に当接されることにより、該第１ピン（２１）、第２ピン（２２）及び第３ピン（２３）が収容部（１１）内において強固に位置決めされることを特徴とする、
オーバーロードブレーカースイッチ。
【請求項２】
前記第１ピン（２１）の上端にガイドプレート（２４）が設けられ、該ガイドプレート（２４）における、第１ピン（２１）と反対する側に接触ポイント（２４１）が設けられ、該第２ピン（２２）には、該接触ポイント（２４１）と接続するための接点（２２１）が設けられることを特徴とする、請求項１に記載のオーバーロードブレーカースイッチ。
【請求項３】
前記接点（２２１）の上方に、上端がスイッチ部（１４）と接続する押圧柱（１４１）が設けられ、該スイッチ部（１４）は、前記外部カバー（１０）の上端に設けられることを特徴とする、請求項２に記載のオーバーロードブレーカースイッチ。
【考案の詳細な説明】
【技術分野】
【０００１】
本考案は、特に過電流が流れた時に、オーバーロードによる機器への影響を防止するオーバーロードブレーカースイッチに関するものである。
【背景技術】
【０００２】
図３に示すように、従来のオーバーロードブレーカースイッチは、外部カバー（５０）、結合プレート（図示せず）及び複数のピン（６０）を備え、該外部カバー（５０）内に、一端に開口（５２）を有する収納部（５１）が形成され、該収納部（５１）に各部材及びオーバーロードブレーカーが収納され、また、該外部カバー（５０）の下端にピン（６０）を設置するための複数の孔（５３）が形成され、該孔（５３）内に凸柱（図示せず）が設けられる。更に、結合プレートは、外部カバー（５０）の開口（５２）上に設置され、該結合プレートにおける、孔（５３）の凸柱と対応する位置に凸柱（図示せず）が形成される。
【０００３】
前記ピン（６０）の上端近傍の両側に連結凸部（６１）が延設され、図４に示すように、該連結凸部（６１）の一端は、外部カバー（５０）の内壁に当接する。また、前記連結凸部（６１）の両側上部にそれぞれ固定スリット（６２）が形成され、該ピン（６０）を孔（５３）に嵌め込む時、該固定スリット（６２）内に孔（５３）の凸柱と、結合プレートの凸柱が嵌入され、これにより、ピン（６０）を外部カバー（５０）の孔（５３）内に固定する。
【考案の開示】
【考案が解決しようとする課題】
【０００４】
上述したように、前記した従来のオーバーロードブレーカースイッチは、ピンが外部カバー内に固定され、該ピンの上端近傍の両側に連結凸部が延設されると共に、該連結凸部上に固定スリットが形成され、更に、孔と結合プレート上に固定スリットと対応する凸柱が設けられた構成により、該ピンを外部カバー内に強固に固定する。
しかしながら、このような構成では、ピンの製造コストが増大すると共に、外部カバーの小型化を図ることができない。
【課題を解決するための手段】
【０００５】
本願の第１考案は、外部カバー（１０）、第１ピン（２１）、第２ピン（２２）、第３ピン（２３）及び接合プレート（３０）を備え、該外部カバー（１０）は、一端に開口（１２）が形成される収納部（１１）を有し、該収納部（１１）に各部材及びオーバーロードブレーカーが収納され、また、該外部カバー（１０）の下端に第１ピン（２１）、第２ピン（２２）及び第３ピン（２３）を設置するための複数の孔（１３）が形成されるオーバーロードブレーカースイッチであって、
前記第１ピン（２１）、第２ピン（２２）及び第３ピン（２３）はそれぞれ孔（１３）に設置されると共に、第１ピン（２１）、第２ピン（２２）及び第３ピン（２３）の一方の側壁は、収納部（１１）の内壁に当接されると共に、他方の側壁は、外部カバー（１０）の開口（１２）の端縁に取り付けられる接合プレート（３０）の内壁に当接されることにより、該第１ピン（２１）、第２ピン（２２）及び第３ピン（２３）が収容部（１１）内において強固に位置決めされることを特徴とするオーバーロードブレーカースイッチを提供するものである。
本願の第２考案は、前記第１ピン（２１）の上端にガイドプレート（２４）が設けられ、該ガイドプレート（２４）における、第１ピン（２１）と反対する側に接触ポイント（２４１）が設けられ、該第２ピン（２２）には、該接触ポイント（２４１）と接続するための接点（２２１）が設けられることを特徴とする前記第１考案に記載のオーバーロードブレーカースイッチを提供するものであり、
本願の第３考案は、前記接点（２２１）の上方に、上端がスイッチ部（１４）と接続する押圧柱（１４１）が設けられ、該スイッチ部（１４）は、前記外部カバー（１０）の上端に設けられることを特徴とする前記第２考案に記載のオーバーロードブレーカースイッチを提供するものである。
【考案の効果】
【０００６】
本考案は上記の課題を解決するものであり、外部カバー、第１ピン、第２ピン、第３ピン及び接合プレートを備え、該外部カバーは、一端に開口が形成される収納部を有し、該収納部に各部材及びオーバーロードブレーカーが収納され、また、該外部カバーの下端に第１ピン、第２ピン及び第３ピンを設置するための複数の孔が形成されるオーバーロードブレーカースイッチであって、前記第１ピン、第２ピン及び第３ピンはそれぞれ孔に設置されると共に、第１ピン、第２ピン及び第３ピンの一方の側壁は、収納部の内壁に当接されると共に、他方の側壁は、外部カバーの開口の端縁に取り付けられる接合プレートの内壁に当接されることにより、該第１ピン、第２ピン及び第３ピンが収容部内において強固に位置決めされる構成である。
上述したように、本考案では、接合プレートの内側に各ピンの一側が当接されることから、接合プレートと各ピンとの接触面積が大きいので、ピンを外部カバー内により強固に固定することができる。
更に、該ピンは、収容部の孔内に固定されることから、該ピンの両側に更に固定用の連結凸部を設ける必要はないので、低コスト化を図ることができると共に、製品の小型化を実現することができる。
【考案を実施するための最良の形態】
【０００７】
以下、添付図面を参照して本考案の好適な実施の形態を詳細に説明する。
【実施例】
【０００８】
図１は本考案に係るオーバーロードブレーカースイッチの分解斜視図であり、図２は本考案に係るオーバーロードブレーカースイッチの斜視図である。
【０００９】
図１に示すように、本考案に係るオーバーロードブレーカースイッチは、外部カバー（１０）と、第１ピン（２１）、第２ピン（２２）及び第３ピン（２３）と、接合プレート（３０）とを備えている。
前記外部カバー（１０）は、収納部（１１）を有し、該収納部（１１）の一端に開口（１２）が形成され、該収納部（１１）に各部材及びオーバーロードブレーカーが収納されると共に、該外部カバー（１０）の下端に第１ピン（２１）、第２ピン（２２）及び第３ピン（２３）を設置するための複数の孔（１３）が形成される。更に、前記外部カバー（１０）の上端にスイッチ部（１４）が設置され、該スイッチ部（１４）の収納部（１１）側に押圧柱（１４１）が延設される。
【００１０】
前記第１ピン（２１）、第２ピン（２２）及び第３ピン（２３）は、その上端にそれぞれ孔（１３）の形状と対応する湾曲状の結合部（２１０,２２０,２３０）が設けられることにより、該孔（１３）内に嵌め込まれる。
また、前記第１ピン（２１）の上端にガイドプレート（２４）が設けられ、該ガイドプレート（２４）における、第１ピン（２１）と反対する側に接触ポイント（２４１）が設けられ、該第２ピン（２２）には、該接触ポイント（２４１）と接続するための接点（２２１）が設けられると共に、上述したように、該接触ポイント（２４１）の上方にスイッチ部（１４）と対応する押圧部（１４１）が設けられることにより、前記第３ピン（２３）を電力供給回路と接続する。
【００１１】
前記接合プレート（３０）は、外部カバー（１０）の開口（１２）の端縁に取り付けられ、その接合プレート（３０）の内壁に第１ピン（２１）、第２ピン（２２）及び第３ピン（２３）の他端が当接される。
【００１２】
図２に示すように、本考案のオーバーロードブレーカースイッチを組み立てる時は、接合プレート（３０）の内壁により、収納部（１１）内に収納された第１ピン（２１）、第２ピン（２２）及び第３ピン（２３）の側壁を押さえて固定する。
この時、前記接合プレート（３０）と第１ピン（２１）、第２ピン（２２）及び第３ピン（２３）との接触面積は大きいことから、接合プレート（３０）に対する第１ピン（２１）、第２ピン（２２）及び第３ピン（２３）の安定度が増すので、該第１ピン（２１）、第２ピン（２２）及び第３ピン（２３）を、前記外部カバー（１０）と接合プレート（３０）との間に強固に固定することができる。
【００１３】
本考案のオーバーロードブレーカースイッチを使用する時は、スイッチ部（１４）を押圧して、押圧柱（１４１）をガイドプレート（２４）上に押し下げ、該ガイドプレート（２４）の接触ポイント（２４１）と第２ピン（２２）の接点（２２１）とを接続状態にする。
この構成によれば、過電流が流れて、２つの異なる熱膨張係数の金属プレートを有するガイドプレート（２４）が加熱されると、前記接点（２２１）が弾けて電流の流れを遮断し、オーバーロードによる機器への影響を防止する。
【図面の簡単な説明】
【００１４】
【図１】本考案に係るオーバーロードブレーカースイッチの分解斜視図である。
【図２】本考案に係るオーバーロードブレーカースイッチの斜視図である。
【図３】従来のオーバーロードブレーカースイッチの斜視図である。
【図４】従来のオーバーロードブレーカースイッチにおける各ピンの斜視図である。
【符号の説明】
【００１５】
１０        外部カバー
１１        収納部
１２        開口
１３        孔
１４        スイッチ部
１４１      押圧柱
２１        第１ピン
２１０      結合部
２２        第２ピン
２２０      結合部
２２１      接点
２３        第３ピン
２３０      結合部
２４        ガイドプレート
２４１      接触ポイント
３０        接合プレート
５０        外部カバー
５１        収納部
５２        開口
５３        孔
６０        ピン
６１        連結凸部
６２        固定スリット
【図１】
0003127559.tif 000003
【図２】
0003127559.tif 000004
【図３】
0003127559.tif 000005
【図４】
0003127559.tif 000006